(57)【特許請求の範囲】
【請求項１】
隣り合う２つの折戸における一方の折戸の接合側端縁に埋設された錠箱と、この錠箱内において水平方向に延在し、フロント板からこれに垂直な前後方向に出没して、他方の折戸の接合側端縁に設けられたストライクに係脱できるように案内されると共に、横断面が偏平なコ字形に折曲された主板を有するデッドボードと、このデッドボードの前方の凹部を充填するように装着された副板と、錠箱を厚さ方向に貫通すると共に、主板の後方に開口した水平方向に長い逃げ孔と遊嵌し、両端に操作部材を装着した回動軸と、デッドボードの後方の凹部において主板と重合する態様で配設され、回り止めを施した状態で基端を回動軸に連結され、自由端の主板と対向する面に突設された突片をデッドボードに開口した制御孔に係合させた作用片とを有し、デッドボードの突出状態及び没入状態はデッドボード上に設けたばね材で作用片の自由端を押圧することにより規制させてあることを特徴とする錠装置。
【請求項２】
扉の自由側端縁に埋設された錠箱と、この錠箱内において水平方向に延在し、フロント板からこれに垂直な前後方向に出没して、扉枠の対向位置に設けられたストライクに係脱できるように案内されると共に、横断面が偏平なコ字形に折曲された主板を有するデッドボードと、このデッドボードの前方の凹部を充填するように装着された副板と、錠箱を厚さ方向に貫通すると共に、主板の後方に開口した水平方向に長い逃げ孔と遊嵌し、両端に操作部材を装着した回動軸と、デッドボードの後方の凹部において主板と重合する態様で配設され、回り止めを施した状態で基端を回動軸に連結され、自由端の主板と対向する面に突設された突片をデッドボードに開口した制御孔に係合させた作用片とを有し、デッドボードの突出状態及び没入状態はデッドボード上に設けたばね材で作用片の自由端を押圧することにより規制させてあることを特徴とする錠装置。
【発明の詳細な説明】
【０００１】
【産業上の利用分野】
この発明は、集合住宅等における浴室の折戸やトイレットの扉等を室内側より施錠するに適した錠装置に関する。
【０００２】
【従来の技術】
元々厚さが薄く作られた折戸や薄く作られた扉に取り付けられる錠装置は、その諸機構が納められる錠箱を幅方向（折戸等の厚さ方向）に薄く製作することが要求される。
【０００３】
しかしながら、従来の錠装置は、薄く作ると施解錠作動がスムーズに行われなかったり、強度的に問題があったりした。
【０００４】
【発明が解決しようとする課題】
この発明の錠装置は、錠箱の幅方向、高さ方向及び奥行き方向の寸法を極く小さくできるような施解錠機構を提供して、厚さの薄い折戸や扉に取り付けるに適するようにしてあるに関わらず、錠解錠作動をスムーズにし、強度的な不安をないようにしたものである。
【０００５】
【課題を解決するための手段】
上記の目的を達成するため、請求項１に記載の発明は、隣り合う２つの折戸における一方の折戸の接合側端縁に埋設された錠箱と、この錠箱内において水平方向に延在し、フロント板からこれに垂直な前後方向に出没して、他方の折戸の接合側端縁に設けられたストライクに係脱できるように案内されると共に、横断面が偏平なコ字形に折曲された主板を有するデッドボードと、このデッドボードの前方の凹部を充填するように装着された副板と、錠箱を厚さ方向に貫通すると共に、主板の後方に開口した水平方向に長い逃げ孔と遊嵌し、両端に操作部材を装着した回動軸と、デッドボードの後方の凹部において主板と重合する態様で配設され、回り止めを施した状態で基端を回動軸に連結され、自由端の主板と対向する面に突設された突片をデッドボードに開口した制御孔に係合させた作用片とを有し、デッドボードの突出状態及び没入状態はデッドボード上に設けたばね材で作用片の自由端を押圧することにより規制させてあることを特徴とする。
【０００６】
また、請求項２に記載の発明は、扉の自由側端縁に埋設された錠箱と、この錠箱内において水平方向に延在し、フロント板からこれに垂直な前後方向に出没して、扉枠の対向位置に設けられたストライクに係脱できるように案内されると共に、横断面が偏平なコ字形に折曲された主板を有するデッドボードと、このデッドボードの前方の凹部を充填するように装着された副板と、錠箱を厚さ方向に貫通すると共に、主板の後方に開口した水平方向に長い逃げ孔と遊嵌し、両端に操作部材を装着した回動軸と、デッドボードの後方の凹部において主板と重合する態様で配設され、回り止めを施した状態で基端を回動軸に連結され、自由端の主板と対向する面に突設された突片をデッドボードに開口した制御孔に係合させた作用片とを有し、デッドボードの突出状態及び没入状態はデッドボード上に設けたばね材で作用片の自由端を押圧することにより規制させてあることを特徴とする。
【０００７】
【作用】
図１、図３及び図４は、いずれもこの発明の錠装置が施錠されている状態を示している。つまり、デッドボード４は、突出位置にあって他方の折戸２０又は扉枠に設けたストライク１３に係入している。
【０００８】
ここで、室内側の操作部材３１を図４で矢印Ａ方向に例えば９０°回動させると、作用片３はばね材５の押圧に抗して同方向に回動し、その突片３７がデッドボード４の制御孔４４内で位置を変えつつデッドボード４を没入位置迄引き込む。
【０００９】
ばね材５は、デッドボード４の全ストロークに亘って例えば突片３７を介し、又は直接、作用片３をデッドボード４に対し押圧させているので、デッドボード４は突出位置又は没入位置で振動等でずれ動いたりすることがなく、適当な弾性的拘束力をもって各位置に保持される。
【００１０】
没入位置にあるデッドボード４を突出させてストライク１３に係入させるためには、操作部材３１を矢印Ａとは逆の方向に回せばよいことは言うまでもない。
【００１１】
【実施例】
以下図面に示す１つの実施例に基いてこの発明について説明する。
図１〜図４において、符号１は隣り合う２つの折戸１０、２０における一方の折戸１０の接合側端縁に掘り込んで止めねじ９１で固定した、すなわち接合側端縁に埋設した錠箱で、１１は後記のデッドボード４の先端部を出没させる貫通孔１２を有するフロント板、１５は蓋板１４をねじ止めするための支柱をそれぞれ示す。
【００１２】
また、符号３０は一方の折戸１０の厚さ方向に設けた装着孔で、そこには室内側及び室外側からそれぞれ扁平な皿状の座板２、２が当てがわれ、例えば取付けねじ９２により相互に呼び付けられて折戸１０の内外面に固定されている。
【００１３】
錠箱１内には、図４に示すように、室内側の操作部材３１により回動操作される作用片３が水平軸の回りを回動自在に支承してあり、錠箱１内の水平方向には、幅方向に扁平なデッドボード４をその先端がフロント板１１より出没して他方の折戸２０の対向端部に設けたストライク１３に係脱できるように摺動自在に設けてある。符号９３はストライク１３を固定された止めねじである。
【００１４】
図示のデッドボード４は、横断面コ字状の主板４１と主板４１を補強するため主板４１の前方部に嵌め込んでねじ止めした副板４２とで成り、主板４１の後方部には作用片３が重なり合うように配置されている。
【００１５】
符号２１は室外側の座板２内に固定されたつまみで、その内側の空間には駒片３２が回動自在に装着してある。そして、室内側の操作部材３１と駒片３２との間は、横断面四角形の回動軸３３（角軸）で結合してあり、回転軸３３の中間部には上記の作用片３の基部が挿通係合させてある。
【００１６】
換言すれば、室内側の操作部材３１、角軸３３、作用片３及び駒片３２は、相互に回動不能にしてあって、全体として回動できるように一体的に接続してある。
【００１７】
符号３４は操作部材３１の座板２に対する抜け止めのための止めリング、３５は室内において事故が発生した際に室外側から硬貨等で解錠できるように、駒片３２の室外側に露出させた個所に設けた非常用の嵌め溝、３６は駒片３２に表示された赤色・青色等の別により室内の使用・不使用の別を室外から確認するためにつまみ２１に設けた識別用窓である。
【００１８】
また、前記の回動軸３３は、デッドボード４の後部、すなわち主板４１の後部に設けた例えば長円状をなす逃げ孔４３を貫通させてある。
【００１９】
図示例においては、デッドボード４の長円状の逃げ孔４３には作用片３と一体に設けた筒状部３８が嵌まり合っていて、また、デッドボード４の先端部がフロント板１１の貫通孔１２に嵌まり合っていることにより、これらがデッドボード４の案内手段を果たしている。
【００２０】
更に、上記の作用片３にはその厚さ方向にピンその他の突片３７が突設してあり、その突片３７はデッドボード４の主板４１の後部に設けた例えばほぼ三角状の制御孔４４に係合させてある。
【００２１】
そしてまた、デッドボード４の突出状態（施錠位置）及び没入状態（解錠位置）は、デッドボード４上に止めピン４５等により止着されたねじりばねその他のばね材５で作用片３を突片３７を介し又は直接デッドボード４自体に押圧することにより規制させてある。
【００２２】
換言すれば、デッドボード４は、突出状態又は没入状態において振動等によりずれ動いたりはしないので、誤作動を防止できることになる。
【００２３】
図示例では、この発明の錠装置は、２つの折戸１０、２０間に設けたものとして示してあるが、錠箱１側の各部材を扉の自由側端縁に設け、ストライク１３を扉枠に設ければ、上記と同様な使用が図れることは言うまでもない。後者の使用の仕方は、本発明における請求項２の錠装置に対応する。
【００２４】
【発明の効果】
以上に説明したこの発明の錠装置は、錠箱の幅方向、高さ方向及び奥行き方向の各寸法を著しく減少させているにも関わらず、施解錠作動がスムーズな上、強度的にも安定しているなどの効果を奏する。従って、厚さの薄い折戸や扉に用いるに極めて有利である。
【図面の簡単な説明】
【図１】この発明の錠装置の実施例を示す側面図。
【図２】その錠装置の錠箱部分の正面図。
【図３】図１の実施例の部分縦断平面図。
【図４】その部分縦断側面図。
【符号の説明】
１０  一方の折戸
２０  他方の折戸
１  錠箱
１１  フロント板
１３  ストライク
３  作用片
３１  操作部材
３３  回動軸
３７  突片
４  デッドボード
４３  逃げ孔
４４  制御孔
５  ばね材
【図１】
0003614905.tif 000002
【図２】
0003614905.tif 000003
【図３】
0003614905.tif 000004
【図４】
0003614905.tif 000005